(57)【要約】【課題】  比較的狭いピッチのプレス間においても周囲との干渉を避けてワークを搬送可能とする。【解決手段】  上下揺動アーム27の先端部に手首28を介してアーム状ハンド29の基端部を連結する。手首28に、アーム27の長さ方向にのびかつアーム27に回転自在に支持されたＲ軸32と、Ｒ軸32と直交する方向にのびたＢ軸33と、Ｒ軸32およびＢ軸33とそれぞれ直交する方向にのびかつハンド29の基端部に貫通させられたＴ軸34とを設ける。ハンド29の先端部に、Ｔ軸34と平行にのびかつワーク保持部材31を固定したＨ軸51を設ける。Ｔ軸34に駆動スプロケット53を、Ｈ軸51に従動スプロケット54をそれぞれ固定する。駆動スプロケット53および従動スプロケット54にベルト55を巻き掛ける。Ｔ軸34と同心状にのびかつハンド29の基端部を回転自在に支持しているＡ軸36を手首28に設ける。【選択図】  図３
2006123009.tif 000002
【特許請求の範囲】
【請求項１】
上下揺動アーム27の先端部に手首28を介してアーム状ハンド29の基端部が連結されており、手首28が、アーム27の長さ方向にのびかつアーム27に回転自在に支持されたＲ軸32と、Ｒ軸32と直交する方向にのびたＢ軸33と、Ｒ軸32およびＢ軸33とそれぞれ直交する方向にのびかつハンド29の基端部に貫通させられたＴ軸34とを有しており、ハンド29の先端部に、Ｔ軸34と平行にのびかつワーク保持部材31を固定したＨ軸51が設けられ、Ｔ軸34に駆動スプロケット53が、Ｈ軸51に従動スプロケット54がそれぞれ固定され、駆動スプロケット53および従動スプロケット54にベルト55が巻き掛けられているプレス間搬送ロボットにおいて、
手首28に、Ｔ軸34と同心状にのびかつハンド29の基端部を回転自在に支持しているＡ軸36が設けられていることを特徴とするワークプレス間搬送ロボット。
【請求項２】
ハンド29の基端部またはＡ軸36に、Ａ軸36と同心状に従動歯車41が固定され、従動歯車41とかみ合わされた駆動歯車42を駆動するモータ44が手首側に装備されている請求項１に記載のワークプレス間搬送ロボット。
【発明の詳細な説明】
【技術分野】
【０００１】
この発明は、例えば、タンデムプレスラインにおいてワークをプレス間で搬送するために用いられるワークプレス間搬送ロボットに関する。
【背景技術】
【０００２】
この種のワークプレス間搬送ロボットとしては、上下揺動アームの先端部に手首を介してアーム状ハンドの基端部が連結されており、手首が、アームの長さ方向にのびかつアームに回転自在に支持されたＲ軸と、Ｒ軸と直交する方向にのびたＢ軸と、Ｒ軸およびＢ軸とそれぞれ直交する方向にのびかつハンドの基端部に貫通させられたＴ軸とを有しており、ハンドの先端部に、Ｔ軸と平行にのびかつワーク保持部材を固定したＨ軸が設けられ、Ｔ軸に駆動スプロケットが、Ｈ軸に従動スプロケットがそれぞれ固定され、駆動スプロケットおよび従動スプロケットにベルトが巻き掛けられているものが知られている（例えば、特許文献１参照。）。
【０００３】
上記ワークプレス間搬送ロボットでは、手首のＲ軸を中心として、ハンドがその軸線まわりに揺動させられるとともに、手首のＢ軸を中心として、ハンドが上下方向に揺動させられるようになっているが、ハンドは水平方向には揺動させられるようになっていない。そのため、アームの基部を中心とするハンドの回転半径はその上下揺動範囲を除いて不変であり、特定条件下（周囲に干渉する）ではワーク搬送に制限を生じた。
【特許文献１】特開平０７−２９９７７４号公報
【発明の開示】
【発明が解決しようとする課題】
【０００４】
この発明の目的は、周囲との干渉が生じる等の比較的狭いピッチのプレス間や金型突起物と干渉し易い条件下でもそれを避けてワークを搬送することができるワークプレス間搬送ロボットを提供することにある。
【０００５】
加えて、特許文献１の特徴（Ｔ軸駆動をＨ軸に移行して軸数を増やすことなくワークをＨ軸中心に自在旋回を可能とする）をそのまま残し、さらに機能を付加することをさらなる目的とする。
【課題を解決するための手段】
【０００６】
この発明によるワークプレス間搬送ロボットは、上下揺動アームの先端部に手首を介してアーム状ハンドの基端部が連結されており、手首が、アームの長さ方向にのびかつアームに回転自在に支持されたＲ軸と、Ｒ軸と直交する方向にのびたＢ軸と、Ｒ軸およびＢ軸とそれぞれ直交する方向にのびかつハンドの基端部に貫通させられたＴ軸とを有しており、ハンドの先端部に、Ｔ軸と平行にのびかつワーク保持部材を固定した従動Ｈ軸が設けられ、Ｔ軸に駆動スプロケットが、Ｈ軸に従動スプロケットがそれぞれ固定され、駆動スプロケットおよび従動スプロケットにベルトが巻き掛けられているワークプレス間搬送ロボットにおいて、手首に、Ｔ軸と同心状にのびかつハンドの基端部を回転自在に支持しているＡ軸が設けられていることを特徴とするものである。
【０００７】
この発明によるワークプレス間搬送ロボットでは、手首のＲ軸およびＢ軸を中心として、ハンドが揺動させられることに加えて、Ａ軸を中心として、ハンドが水平方向に揺動させられる。そのため、ハンドを中折れすることができ、プレスに対するワークの搬出・搬入時にハンドの揺動角度が変わるようにハンドを揺動させると、比較的狭いピッチのプレス間においても周囲との干渉なくワークを搬送することができる。
【０００８】
さらに、ハンドの基端部またはＡ軸に、Ａ軸と同心状に従動歯車が固定され、従動歯車とかみ合わされた駆動歯車を駆動するモータが手首側に装備されていると、シンプルな機構でもって、Ａ軸を中心として、ハンドを揺動させることができる。
【発明の効果】
【０００９】
この発明によれば、比較的狭いピッチのプレス間で周囲との干渉が考えられる場合においても干渉物を避けてワークを搬送することができる。
【発明を実施するための最良の形態】
【００１０】
この発明の実施の形態を図面を参照しながらつぎに説明する。
【００１１】
図１を参照すると、前工程プレスＰ1および後工程プレスＰ2間にロボット11が配置されている。
【００１２】
図２を参照すると、ロボット11は、固定基台21と、基台21に垂直Ｓ軸22によって水平揺動自在に支持されている旋回台23と、旋回台23に水平Ｌ軸24によって上下揺動自在に支持されている第１アーム25と、第１アーム25の先端部にＵ軸26によって上下揺動自在に支持されている円筒状第２アーム27と、第２アーム27の先端に手首28を介して連結されているアーム状ハンド29と、ハンド29の先端部に取付られているワーク保持部材31とよりなる。
【００１３】
図３に詳細に示すように、手首28は、第２アーム27に回転自在にはめ入れられているＲ軸32と、Ｒ軸32の突出端部にこれと直交させられるように連結されているＢ軸33と、Ｒ軸32およびＢ軸33とそれぞれ直交させられるようにのびかつハンド29の基端部に貫通させられたＴ軸34と、Ｂ軸33およびＴ軸34を収容しているハウジング35とを備えている。
【００１４】
ハウジング35には筒状Ａ軸36がＴ軸34と同心状にこれにはめ被せられるように固定されている。Ａ軸36にハンド29の基部がベアリング37を介して支持されている。
【００１５】
ハンド29の基部には従動歯車41がＡ軸36と同心状に固定されている。従動歯車41には駆動歯車42が噛み合わされている。駆動歯車42は、減速機43付モータ44によって駆動されるようになっている。減速機43付モータ44は、ブラケット45によってハウジング35またはＡ軸36に固定されている。
【００１６】
ハンド29の先端部にはＨ軸51がＴ軸34と平行にベアリング52を介して支持されている。Ｔ軸34には駆動スプロケット53が、Ｈ軸51には従動スプロケット54がそれぞれ固定されている。駆動スプロケット53および従動スプロケット54には歯付きベルト55が巻き掛けられている。
【００１７】
ワーク保持部材31は、従動スプロケット54とともに回転させられるように従動スプロケット54に連結されている。
【００１８】
ロボット11の駆動源により、旋回台23の水平揺動、第１および第２アーム25、27の上下揺動、Ｒ軸32の回転、Ｂ軸33の回転およびＴ軸34の回転がそれぞれ行われるようになっている。
【００１９】
Ｔ軸34が回転駆動されると、駆動スプロケット53、従動スプロケット54およびベルト55によってＨ軸51が回転駆動され、Ｈ軸51とともにワーク保持部材31が回転させられる。
【００２０】
減速機43付モータ44によって駆動歯車42が回転駆動されると、従動歯車41とともにハンド29がＡ軸36の回りに揺動させられる。
【００２１】
図１に実線で示すように、前工程プレスＰ1からワークを搬出する場合、第２アーム27に対してハンド29を、ワーク搬送経路上流側に向かって平面視略への字状に屈曲させる。図１に鎖線で示すように、後工程プレスＰ2にワークを搬入する場合、今度は、ワーク搬送経路下流側に向かって平面視略逆への字状に屈曲させる。このようにすると、第２アーム27およびハンド29が一直線状となされている場合と比較して、ハンド29のＬ軸34を中心とした中折れが可能となる。この動作により、前工程および後工程のプレスＰ1、Ｐ2間ピッチを狭めても周囲との干渉を避けてワークを搬送することが可能となっている。
【図面の簡単な説明】
【００２２】
【図１】この発明によるロボット11の平面図である。
【図２】同ロボット11の斜視図である。
【図３】同ロボット11の要部の縦断面図である。
【符号の説明】
【００２３】
27  アーム
28  手首
29  ハンド
31  ワーク保持部材
32  Ｒ軸
33  Ｂ軸
34  Ｔ軸
36  Ａ軸
51  Ｈ軸
53  駆動スプロケット
54  従動スプロケット
55  ベルト
【図１】
2006123009.tif 000003
【図２】
2006123009.tif 000004
【図３】
2006123009.tif 000005